(57)【要約】【課題】扉等に背圧がかかった場合に、ソレノイドに大きな負担をかけずに、解錠や施錠をスムーズに行わせる。【解決手段】ストライカ２に係合するロック部材３と、ロック部材に係合するストッパ部４と、ストッパ部と一体に回動するリンク部５と、リンク部を駆動するソレノイド７と、ロック部材３の動きを検知する第一のスイッチ３１と、ストッパ部４の動きを検知する第二のスイッチ３７とを備え、ストライカとロック部材との係合時に第一のスイッチが作動し、ロック部材とストッパ部との係合時に第二のスイッチが作動するようにし、ソレノイドによる解錠操作時に、第一のスイッチ３１が作動し、且つ第二のスイッチ３７が作動した場合に異常が報知される。ソレノイドによる施錠操作時に、第一のスイッチ３１が作動し、且つ第二のスイッチ３７が作動しない場合に異常が報知される。【選択図】図１
2008266930.tif 000002
【特許請求の範囲】
【請求項１】
相手側のストライカに係合するロック部材と、該ロック部材に係合するストッパ部と、該ストッパ部と一体に回動するリンク部と、該リンク部を駆動するソレノイドと、該ロック部材の動きを検知する第一のスイッチと、該ストッパ部の動きを検知する第二のスイッチとを備え、該ストライカと該ロック部材との係合時に該第一のスイッチが作動し、該ロック部材と該ストッパ部との係合時に該第二のスイッチが作動するようにし、該ソレノイドによる解錠操作時に、該第一のスイッチが作動し、且つ該第二のスイッチが作動した場合に異常が報知されることを特徴とする錠装置の背圧対処機構。
【請求項２】
前記ソレノイドによる施錠操作時に、前記第一のスイッチが作動し、且つ前記第二のスイッチが作動しない場合に異常が報知されることを特徴とする請求項１記載の錠装置の背圧対処機構。
【発明の詳細な説明】
【技術分野】
【０００１】
本発明は、大きな収容物を入れた際にロッカの扉や机の引出し等にかかる背圧に対して検知スイッチを用いて施解錠をスムーズに行わせるようにした錠装置の背圧対処機構に関するものである。
【背景技術】
【０００２】
図９は、従来の錠装置の一形態を示すものである（特許文献１参照）。
【０００３】
この錠装置８５は、ロッカ等に適用され、扉のストライカ８６に係合するロックプレート８７と、ロックプレート８７を解錠方向に付勢する第一のばね８８と、ロックプレート８７の後段部８７ａに当接するストッパアーム８９と、ストッパアーム８９に第二のばね９０を介して連結された駆動レバー９１と、駆動レバー９１を駆動する電磁ソレノイド９２と、駆動レバー９１のピン９１ａに当接するまでの範囲でストッパアーム８９に当接するストッパ解除アーム９２と、ストッパ解除アーム９２をストッパアーム８９の当接解除方向に付勢する強い第三のばね９３とを備えたものである。
【０００４】
例えばロッカ内に大きな荷物を入れて扉を閉めた場合に、扉が外向きに押されて背圧がかかり、ストライカ８６が外向きに引っ張られ、ロックプレート８７が解錠方向（反時計回り）に少し回動し、ストッパアーム８９の上段部８９ａに強く当接することで、使用者が解錠しようとしてテンキーの暗証番号入力操作でソレノイド９２を作動（突出）させても、そのプランジャ９２ａで駆動レバー９１が反時計回りに回動するだけで、ストッパアーム８９はロックプレート８７から外れずに、ロックが解除されないという不具合を生じる。
【０００５】
使用者が扉をガタガタさせてストライカ８６が瞬間的にロックプレート８７の凹部面８７ａから離れた際に、ストッパアーム８９の段部８９ａとロックプレート８７の段部８７ａとの間に隙間を生じ、その間に第三のばね９３がストッパアーム８９を解錠方向に回動させることで、ロックが解除される。
【０００６】
図９で、符号９４はロックプレート８７の回動を検知するスイッチ、９５はストッパアーム８９の回動を検知するスイッチ、９２ｂはプランジャ突出用のばね、９６は各部材を収容したケース、９８は取付用のブラケット、をそれぞれ示している。
【特許文献１】特開２００５−２４０４６０号公報（図２）
【発明の開示】
【発明が解決しようとする課題】
【０００７】
しかしながら、上記従来の錠装置８５にあっては、背圧で扉が開かない際に、使用者が扉をガタつかせることを前提としており、それをしなかった場合には、扉が開かずに、使用者に迷惑がかかる懸念があった。また、使用者がロッカ内に荷物を入れて扉を閉め、扉に背圧がかかった状態で施錠しようとしても、ストライカ８７の位置が通常よりも扉開き方向にずれて、ロックプレート８７と干渉して施錠がスムーズに行われないという懸念があった。
【０００８】
また、これらロックプレート８７、ストッパアーム８９、ストライカ８６の材料は金属ないし合成樹脂を適宜選択して使用するので、これら相互の摩擦力は一定でなく、扉にかかる背圧の大きさも一定でないので、施解錠をスムーズに行わせるためにソレノイド９２を大きく強く設定し、構造が肥大化・高コスト化するという懸念があった。また、背圧がかかった状態で万一、ソレノイド９２の駆動に失敗すると、ソレノイド９２に通電し続けることとなり、ソレノイド９２を傷めるという懸念があった。
【０００９】
本発明は、上記した点に鑑み、扉等に背圧がかかった場合に、ソレノイドに大きな負担をかけずに、施錠及び／又は解錠をスムーズに行わせることのできる錠装置の背圧対処機構を提供することを目的とする。
【課題を解決するための手段】
【００１０】
上記目的を達成するために、本発明の請求項１に係る錠装置１の背圧対処機構は、相手側のストライカに係合するロック部材と、該ロック部材に係合するストッパ部と、該ストッパ部と一体に回動するリンク部と、該リンク部を駆動するソレノイドと、該ロック部材の動きを検知する第一のスイッチと、該ストッパ部の動きを検知する第二のスイッチとを備え、該ストライカと該ロック部材との係合時に該第一のスイッチが作動し、該ロック部材と該ストッパ部との係合時に該第二のスイッチが作動するようにし、該ソレノイドによる解錠操作時に、該第一のスイッチが作動し、且つ該第二のスイッチが作動した場合に異常が報知されることを特徴とする。
【００１１】
上記構成により、使用者が解錠する際に、扉に背圧がかかっている場合は、ストライカでロック部材が扉開き方向に引かれて解錠方向に回動し、ロック部材に係合したストッパ部とロック部材とが強い摩擦力で当接し、ストッパ部がソレノイドで解錠方向に回動しようとしてもロック部材との係合が解除されず、解錠できなくなるが、ソレノイドを作動させたに係わらず第一のスイッチと第二のスイッチとがオン（又はオフ）したままなので、それらの信号を制御部が受けて、ランプやブザー等で使用者に解錠できないことを報知する。使用者が例えば扉の注意書きを見てロッカ等の扉を閉じ方向に押して背圧を解除することで、解錠が行われる。
【００１２】
請求項２に係る錠装置１の背圧対処機構は、請求項１記載の錠装置の背圧対処機構において、前記ソレノイドによる施錠操作時に、前記第一のスイッチが作動し、且つ前記第二のスイッチが作動しない場合に異常が報知されることを特徴とする。
【００１３】
上記構成により、使用者が施錠する際に、扉に背圧がかかっている場合は、ストライカでロック部材が扉開き方向に引かれて解錠方向に回動し、ストッパ部がソレノイドで施錠方向に回動した際にロック部材に干渉して施錠できなくなるが、ロック部材が第一のスイッチをオン（又はオフ）させ、ストッパ部が第二のスイッチをオフ（又はオン）させることで、ランプやブザー等で使用者に施錠できないことが報知される。使用者は例えば扉の注意書きを見て荷物をロッカ等の収容室内に強く押し込んで背圧を解除した後、施錠を行う。
【発明の効果】
【００１４】
請求項１記載の発明によれば、例えばロッカ内に使用者が大きな荷物を入れて扉に背圧がかかり、解錠が行われない場合でも、その異常が使用者に報知され、使用者が扉を押して背圧を解除することで、スムーズに解錠が行われる。このように、使用者に直接異常を報知して速やかに解錠を行わせることで、ソレノイドに長く通電させることが回避され、ソレノイドの傷みが防止されて耐久性が向上する。また、背圧を完全に解除した状態で、解錠を行うことで、ロック部材とストッパ部との摺動摩擦がなくなり、小さなソレノイドを用いて錠装置の小型化を図ることができる。
【００１５】
請求項２記載の発明によれば、例えばロッカ内に使用者が大きな荷物を入れて扉に背圧がかかり、施錠が行われない場合でも、その異常が使用者に報知され、使用者が扉を押して背圧を解除することで、スムーズに施錠が行われる。このように、使用者に直接異常を報知して速やかに施錠を行わせることで、ソレノイドに長く通電させることが回避され、ソレノイドの傷みが防止されて耐久性が向上する。また、背圧を完全に解除した状態で、施錠を行うことで、ロック部材とストッパ部との摺動摩擦がなくなり、小さなソレノイドを用いて錠装置の小型化を図ることができる。
【発明を実施するための最良の形態】
【００１６】
図１〜図４は、本発明に係る錠装置の背圧対処機構の一実施形態を示すものである。この錠装置（電気錠）１は小型化を図ったもので、ロッカや机の引出し等に好適である。
【００１７】
図１の如く、錠装置１は、扉や引出し等（以下扉と言う）のストライカ２に係合する回動自在なロックプレート（ロック部材）３と、ロックプレート３に対するストッパ部４とリンク部５とで成る回動自在なプレート部材（部材）６と、リンク部５の上部にプランジャ８を係合させた水平な電磁ソレノイド７と、ロックプレート３の後端部に接離する第一のスイッチ３１と、ストッパ部４の後端部に接離する第二のスイッチ３７と、これらスイッチ３１，３７の動作で点滅するＬＥＤランプ４４とを備えるものである。
【００１８】
図１の実施形態ではストッパ部４とリンク部５とを別体のストッパプレート（ないしストッパレバー）（４）とリンクプレート（ないしリンクレバー）（５）とで構成した例を示しているが、ストッパ部４とリンク部５とを金属板で一体に形成することも可能である。
【００１９】
別体のストッパプレート（４）を用いれば、オートロックに対応して、扉を開けた状態（ストライカ２がロックプレート３から外側に離間した状態）でもロック（施錠）することができる。図１の状態から図２の如く、例えばソレノイド７をオンしてプランジャ８を圧縮コイルばね４６の力で前方に突出させ、プランジャ８と一体にリンクプレート（５）を反時計回りに回動させた際に、ストッパプレート（４）は捩り巻きばね３０の付勢力で反時計回りに回動してロックプレート３の後部側の円弧状の凸部３８に当接して、ロック準備状態を得る。凸部３８の円弧面３８ａは軸部１３を中心とした半径で描かれている。
【００２０】
相手側のストライカ２は、略Ｕ字状に屈曲形成され、電気錠１のケース１１の凹部１２に進退自在である。図１では扉を少し開いた状態となっている。ロックプレート３はケース１１に軸部１３で上下方向回動自在に支持され、且つスナップスプリング１４（図３）で施錠及び解錠方向に付勢されて、図１で解錠状態を維持している。
【００２１】
ロックプレート３は、先端側の上向きの短い凸部１５と長い凸部１６と、両凸部１５，１６の間の凹部１７と、長い凸部１６の後側の凹部（被係合部）１８と、凹部の後側の円弧状の凸部３８とを有している。図１で長い凸部１６にストライカ２が当り、図３の扉の閉じ時にロックプレート３がばね１４の付勢力で時計回り（施錠方向）に回動して短い凸部１５でストライカ２を保持し、図４の施錠時に後側の凹部１８にストッパ部４の先端の突出部分１９（係合部）がロックプレート３の後方の凸部３８との間に隙間６４を存して係合する。隙間６４があることで、ソレノイド７の負荷が小さく、小さな力で施解錠が可能で、ソレノイド７が小型化される。
【００２２】
図５の如く、ロックプレート３の後端部３９は大径な円弧（湾曲）状の後端面３９ａを有し、後端面３９ａは上側（角部）の小径な湾曲面３９ｂを経て凸部３８に続き、且つ後端面３９ａの下側でほぼ直交する平坦面３９ｃに続いている。
【００２３】
ロックプレート３の後方に隣接して第一のスイッチ３１が配置され、ロックプレート３の後端面３９ａに第一のスイッチ３１の略湾曲状の接触子３１ａが接し、図５のロック状態で接触子３１ａは後方に押されてスイッチ３１がオン（又はオフ）した状態となっている。
【００２４】
スイッチ３１のオフ（又はオン）時に接触子３１ａはケース部３１ｂ内のばねの力で図５の鎖線の如く前方に突出する。鎖線の接触子３１ａは図１の解錠時におけるものであり、図１で水平に倒れたロックプレート３の後端面３９ａが接触子３１ａの前方上側に少し離間して位置する。オン（又はオフ）とは、スイッチ３１の種類によって、常時開接点のものはオン、常時閉接点の場合はオフになるという意味である。
【００２５】
スイッチ３１のケース部３１ｂはケース１１にほぼ垂直に（少し後に傾斜して）固定され、ケース部３１ｂの前端上部から斜め下向きに接触子３１ａが突出し、ケース部３１ｂの後端から一対の端子３１ｃが突設され、端子３１ｃに図示しないリード線が接続され、リード線が図６のＩ／Ｏポート４２を経て制御部４３に接続される。
【００２６】
図１の如く、プレート部材６は、上下（垂直）方向のリンク部５と、リンク部５に斜めに交差したストッパ部４とで成り、リンク部５の上側突出部２０と下側突出部２１とに垂直方向の長孔状の切欠孔（ガイド部）２２が設けられている。
【００２７】
ソレノイド７のプランジャ８の前部に円柱状の水平なピン部（係合部）２４が直交して設けられ、ピン部２４が上側の切欠孔２２にスライド自在に係合している。ピン部２４，はプランジャ８の軸心から直角に突出している。下側の切欠部２２には、図示しない衝撃相殺用のカウンタウェイトのピンがスライド自在に係合する。本例で、軸部１０の中心から上下の各ピン部２４の中心までの垂直距離は等しく設定される。
【００２８】
ストッパ部４はリンク部５から斜め前方上向きに突出した前側部分２６と、前側部分２６から下向きに突出し、且つ直交方向に屈曲した板状の先端部分１９と、リンク部５から斜め後方下向きに突出した後側部分２７とを有している。ストッパ部４をリンク部５とは別体に形成した場合は、後側部分２７から上向き且つ水平に突出した板状部分２８をストッパ部（ストッパプレート）４に設け、板状部分２８を上方から当接させる後方の突出部２９をリンク部（リンクプレート）５に設ける。ストッパ部４は捩り巻きばね３０で反時計回りに付勢され、リンク部５も一体に付勢される。捩り巻きばね３０の一端３０ａはリンク部（リンクプレート）５に係止され、他端３０ｂは部（ストッパプレート）４の後端側の板状部分２８に係止され、ばね３０の力はソレノイド７側の圧縮コイルばね４６の力よりも弱い。板状部分２８はケース１１の外部に突出して外部操作が可能となっている。
【００２９】
本例で、別体化されたストッパプレート（４）の重心は軸部１０の中心と一致し、リンクプレート（５）の重心は軸部１０の中心と一致し、ストッパプレート（４）とリンクプレート（５）の支軸周りのモーメントは同一である。また、ストッパ部４とリンク部５とで一体化されたプレート部材６の重心は軸部１０の中心と一致し、ストッパ部４とリンク部５の支軸周りのモーメントは同一である。
【００３０】
ストッパ部４の後方の突出部（後側部分）２７は大径な円弧（湾曲）状の後端面２７ａを有し、突出部２７の後方に第二のスイッチ３７が配置され、第二のスイッチ３７の接触子３７ａが後端面２７ａに接触可能となっている。後端面２７ａは上側の角部を経て上側の突出部２８に続いている。
【００３１】
第二のスイッチ３７のケース部３７ｂはケース１１に垂直に固定され、ケース部３７ｂの前端下部から斜め上向きに接触子３７ａが突出し、ケース部３７ｂの後端に一対の端子３７ｃが突設され、端子３７ｃに図示しないリード線が接続され、リード線が図６のＩ／Ｏポート４２を経て制御部４３に接続される。
【００３２】
ストッパ部４の後端面２７ａは、図１の解錠時に第二のスイッチ３７の接触子３７ａから前方下側に少し離間して位置し、図４（図５）の施錠時に接触子３７ａに押接して接触子３７ａを後方に押して第二のスイッチ３７をオン（又はオフ）させる。
【００３３】
図１の例で、電磁ソレノイド７は小型軽量のものであるが、プランジャ復帰用の圧縮コイルばね４６を用いてプランジャ８の突出動作を確実に行わせる。ソレノイド７の筒体部３２はケース１１に水平に固定され、プランジャ８は水平に前後に進退する。
【００３４】
図６は、上記錠装置１の回路構成を簡略化して示すものであり、ソレノイド５と第一のスイッチ３１、第二のスイッチ３７、ＬＥＤランプ４４はそれぞれＩ／Ｏポート４２を介して制御部（ＣＰＵ）４３に接続され、制御部４３にはさらにタイマ４５が接続されている。Ｉ／Ｏポート４２や制御部４３やタイマ４５は錠装置１の外部に配置される。
【００３５】
以下に、錠装置１の施錠時の作用を図１〜図５の構成及び図７のフローチャートを用いて説明する。
【００３６】
図１の解錠時に、第一及び第二のスイッチは共にオフになっている。ソレノイド７は未だ作動しておらず、ストッパ部４の先端１９はロックプレート３の上方に離間している。使用者がロッカ内に荷物を入れ、扉を閉め、キーで施錠操作する（図７の符号５１参照）。キーは差込回動式のものでも暗証入力用のテンキーでもＩＣカードでもよい。
【００３７】
図３の如く扉を閉めると同時にストライカ２がロックプレート３を軸部１３を支点に時計回りに回動させつつロックプレート３の凹部１７に係合する。ロックプレート３の後端面３９ａは下向きに回動して第一のスイッチ３１の接触子３１ａを押して第一のスイッチ３１をオンさせる（図７の符号５２参照）。第一のスイッチ３１で、ロックプレート３が回り切ったかどうかが判定される。
【００３８】
キーの操作と第一のスイッチ３７がオンすることとで、制御部４３（図６）の作用で、図４の如く、ソレノイド７が通電されて、プランジャ８がばね４６の力で前進（突出）し（図７の符号５３参照）、プレート部材６を反時計回りに回動させ（図７の符号５４参照）、ストッパ部４の先端の突出部１９がロックプレート３の凹部１８に進入係合し、凹部１８の後側の凸部３８が突出部１９に当接することで、ロックプレート３の解錠方向（反時計回り）の回動が阻止される。ロックプレート３の後部下面３９ｃはケース１１の傾斜面４０に当接する。ストッパ部４はばね３０で反時計回り（ロック方向）に弾性付勢されている。ソレノイド７の通電が解除されても、ばね４６とばね３０の付勢力でロック状態が維持される。
【００３９】
ストッパ部４をリンク部５とは別体のストッパプレート（４）とした場合は、リンクプレート（５）の反時計回りの回動に伴って、図３におけるリンクプレート（５）とストッパプレート（４）との後方の各突出部２８，２９の当接がばね３０の力で維持され、図４の如くストッパプレート（４）がばね３０の力で反時計回り（ロック方向）に回動して、先端の突出部１９がロックプレート３に係合する（図７の符号５４参照）。
【００４０】
ストッパ部４の後端面２７ａが第二のスイッチ３７の接触子３７ａを押して第二のスイッチ３７をオンさせる（図７の符号５５参照）。これにより、施錠が完了したことが検知される（図７の符号５６参照）。
【００４１】
図４で扉に背圧がかかっている場合には、ロックプレート３がストライカ２で扉開き方向（外向き）に引っ張られて反時計回りに少し回り、後方の凸部３８が前方に位置ずれするので、ストッパ部４の先端の突出部１９がロックプレート３の凸部３８に干渉して凹部１８内に進入することができず、ロックがかからない。ストッパ部４とリンク部５とが一体である場合は、プランジャ８が伸びきらずに途中で停止する。ストッパ部４とリンク部５とが別体である場合は、プランジャ８が伸びきり、リンク部５が完全に回動するが、ストッパ部４が回動途中で凸部３８に当接して停止する。
【００４２】
図７の符号５５で第二のスイッチ３７がオフである場合に、タイマ４５（図６）が一定時間経過した後（図７の符号５７参照）、ＬＥＤランプ４４やブザー等（図示せず）で異常を通知して、ロックがかからないことを使用者にアピールする（図７の符号５８参照）。第二のスイッチ３７のオフ信号を受けた制御部４３（図６）がＬＥＤランプ４４等を作動させる。ロッカの扉には、ランプ４４の点滅等の報知があった場合は荷物を再度押し込むような注意書きをしておく。
【００４３】
このアピールによって、使用者が扉を閉じ方向に押し込むことで（机の場合は引き出しを閉め方向に押し込むことで）（図７の符号５９参照）、背圧が解除され、ロックプレート３が図４の正規位置に回動復帰して、ストッパ部４の突出部１９が凹部１８に係合し、それと同時にストッパ部４の後端面２７ａが第二のスイッチ３７の接触子３７ａを押してオンさせ（図７の符号６０参照）、施錠が行われる（図７の符号５６参照）。施錠と同時に制御部４３（図６）が作用してランプ４４等の報知が消滅する。
【００４４】
図７の符号５７で一定時間経過しないうちはリトライ判定をして符号５２に戻る。また、図７の符号６０で第二のスイッチ３７がオフである場合は、タイマ４５（図６）が一定時間経過した後（符号６１参照）、ソレノイド７に通電してプランジャ８を吸引させ（符号６２参照）、解錠（施錠未完了）のままとする（符号６３参照）。施錠未完了では例えばキーが抜けないから、使用者はそのまま立ち去ることはなく、異常を察知できる。図７の符号６１で一定時間経過しないうちはリトライ判定をして符号５８に戻る。
【００４５】
以下に、錠装置１の解錠時の作用を図１〜図５の構成及び図８のフローチャートを用いて説明する。
【００４６】
図４の施錠状態から使用者がキーで解錠操作すると（図８の符号７１参照）、図３の如くソレノイド７に通電されてプランジャ８が吸引される（図８の符号７２参照）。それに伴ってリンク部５とストッパ部４とが一体に解錠方向（時計回り）に回動する（図８の符号７３参照）。リンク部５とストッパ部４とが別体である場合は、リンク部の突出部２９でストッパ部４の突出部２８が時計回りに押されて、回動する（図８の符号７３参照）。回動によってストッパ部４の先端の突出部１９がロックプレート３の凹部１８から上方に離脱する。
【００４７】
ストッパ部４が時計回りに回動することで、ストッパ部４の後端面２７ａが第二のスイッチ３７の接触子３７ａから下側前方に離間し、第二のスイッチ３７がオフする（図８の符号７４参照）。第一のスイッチ３１はロックプレート３の後端面３９ａで接触子３１ａを押されて図４，図３共にオンしたままである。この状態で解錠（ロック解除）が完了する（図８の符号７５参照）。
【００４８】
図１の如く、使用者が扉を開けることで、ストライカ２がロックプレート３をスナップばね１４の力に抗して反時計回りに回動させ、ロックプレート３の後端面３９ａが第一のスイッチ３１の接触子３１ａから上側前方に離間し、第一のスイッチ３１がオフし、両スイッチ３１，３７は共にオフされる。
【００４９】
図４の施錠状態で扉に背圧がかかっている場合は、ロックプレート３がストライカ２で扉開き方向（外向き）に引っ張られて反時計回りに少し回動し、ロックプレート３の後方の凸部３８の内面（前端面）３８ｂがストッパプレート３の先端の突出部１９の内面（後端面）１９ａに隙間なく強く当接し、ソレノイド７をプランジャ吸引方向に励磁してもストッパ部４が回動せずに突出部１９がロックプレート３の凹部１８に係合したままとなり、ロックが解除されない。ストッパ部４とリンク部５とが別体の場合も同様である。
【００５０】
これらの場合は、ストッパ部４の後端面２７ａが第二のスイッチ３７の接触子３７ａを押して第二のスイッチ３７をオンさせ（図８の符号７４参照）、タイマ４５（図５）が一定時間経過した後（図８の符号７６参照）、ＬＥＤランプ４４やブザー等で使用者に異常を報知する（図８の符号７７参照）。
【００５１】
使用者が扉の注意書き（ランプがついたら扉を押し込んでほしい旨の注意書き）を見て、扉を閉じ方向に押すことで（図８の符号７８参照）、ストライカ２によるロックプレート３の引張が解除され、図３の如く、ロックプレート３がスナップばね１４の力で時計回りに正常位置に復帰し、凸部３８とストッパ部４の突出部１９との当接が解除され、ストッパ部４がばね４６の付勢に抗してプランジャ８の引き込み力でリンク部５と一体に時計回りに回動し、突出部１９と凹部１８との係合が解除される。
【００５２】
それと同時にストッパ部４の後端面２７ａが第二のスイッチ３７の接触子３７ａから下側前方に離間して第二のスイッチ３７がオフし（図８の符号７９参照）、解錠が完了する（図８の符号７５参照）。
【００５３】
図４から図３に移行する際に、扉の背圧が解消されずにストッパ部４が時計回りに回動しない場合は、第二のスイッチ３７がオンのままであるので（図８の符号７９参照）、タイマ４５（図６）が一定時間経過した後（符号８０参照）、ソレノイド７に通電してプランジャ８を突出（開放）させて（符号８１参照）、解錠未完了のまま施錠を維持する（符号８２参照）。図８の符号８０のタイマ４５の一定時間経過前には符号７７に戻ってリトライする。
【００５４】
なお、上記した構成は錠装置の背圧対処機構としてのみならず、錠装置自体として、あるいは錠装置の背圧対処方法としても有効なものである。
【図面の簡単な説明】
【００５５】
【図１】本発明に係る錠装置の背圧対処機構の一実施形態を示す解錠時の正面図である。
【図２】同じく錠装置の背圧対処機構の扉を開けたロック準備状態を示す正面図である。
【図３】同じく錠装置の背圧対処機構の扉を閉めた解錠前の状態を示す正面図である。
【図４】同じく錠装置の背圧対処機構の施錠時の状態を示す正面図である。
【図５】図４の施錠時の図の一部を省略して内部を見せた状態の正面図である。
【図６】錠装置の背圧対処機構の電気的接続の概要を示す回路図である。
【図７】錠装置の背圧対処機構の施錠作業の流れを示すフローチャートである。
【図８】錠装置の背圧対処機構の解錠作業の流れを示すフローチャートである。
【図９】従来の錠装置の一形態を示す正面図である。
【符号の説明】
【００５６】
１    錠装置
２    ストライカ
３    ロックプレート（ロック部材）
４    ストッパ部
５    リンク部
７    ソレノイド
３１  第一のスイッチ
３７  第二のスイッチ
【図１】
2008266930.tif 000003
【図２】
2008266930.tif 000004
【図３】
2008266930.tif 000005
【図４】
2008266930.tif 000006
【図５】
2008266930.tif 000007
【図６】
2008266930.tif 000008
【図７】
2008266930.tif 000009
【図８】
2008266930.tif 000010
【図９】
2008266930.tif 000011